(57)【要約】【課題】大きい付属備品と共に小さい付属備品を飛び出さないように収容できる収容効率の良い梱包用緩衝材を提供する。【解決手段】被梱包品３と外箱との間に介在させる樹脂発泡体１，２からなる緩衝材であって、被梱包品３の付属備品８を収容する第一収容凹部１ｂを緩衝材の適所に形成すると共に、この第一収容凹部１ｂの底に、上記付属備品８よりも小さい付属備品９を収容する上記第一収容凹部１ｂよりも小さい第二収容凹部１ｃを形成した構成の梱包用緩衝材とする。第二収容凹部１ｃに収容された小さい付属備品９が運搬等の途中で第二収容凹部１ｃから飛び出そうとしても、その上の第一収容凹部１ｂに収容された大きい付属備品８によって小さい付属備品９の飛び出しが阻止されるため、小さい付属備品９を紛失する恐れがなくなる。また、小さい付属備品８の梱包忘れも解消される。【選択図】図３
2010149870.tif 000002
【特許請求の範囲】
【請求項１】
被梱包品と外箱との間に介在させる樹脂発泡体からなる緩衝材であって、被梱包品の付属備品を収容する第一収容凹部を緩衝材の適所に形成すると共に、この第一収容凹部の底に、上記付属備品よりも小さい付属備品を収容する上記第一収容凹部よりも小さい第二収容凹部を形成したことを特徴とする梱包用緩衝材。
【請求項２】
上記緩衝材が、被梱包品の上部に嵌合させて外箱との間に介在させる上部樹脂発泡体と、被梱包品の下部に嵌合させて外箱との間に介在させる下部樹脂発泡体とからなり、上部樹脂発泡体の上面に上記第一収容凹部を形成し、その底に上記第二収容凹部を形成したことを特徴とする請求項１に記載の梱包用緩衝材。
【請求項３】
上記第二収容凹部の底に、上記の小さい付属備品よりも更に小さい付属備品を収容する更に小さい第三収容凹部を形成したことを特徴とする請求項１又は請求項２に記載の梱包用緩衝材。
【請求項４】
被梱包品が液晶テレビであり、第一収容凹部がリモートコントロール装置用の電池を収容する凹部であり、第二収容凹部がスタンド取付用のネジを収容する凹部であることを特徴とする請求項１又は請求項２に記載の梱包用緩衝材。
【請求項５】
被梱包品が液晶テレビであり、第一収容凹部がリモートコントロール装置を収容する凹部であり、第二収容凹部がリモートコントロール装置用の電池を収容する凹部であり、第三収容凹部がスタンド取付用のネジを収容する凹部であることを特徴とする請求項３に記載の梱包用緩衝材。
【発明の詳細な説明】
【技術分野】
【０００１】
本発明は、液晶テレビなどの被梱包品を外箱に収容して梱包する際に被梱包品と外箱との間に介在させる梱包用緩衝材に関し、特に、被梱包品の大きい付属備品と小さい付属備品を上下に重ねて収容凹部に効率良く収容できるように改良した梱包用緩衝材に関する。
【背景技術】
【０００２】
周知のように、液晶テレビなどの被梱包品を外箱に収容して梱包する場合は、運搬時や落下時の衝撃から被梱包品を保護するために、被梱包品と外箱との間に発泡スチロール等からなる梱包用緩衝材を介在させている。
【０００３】
このような梱包用緩衝材には、従来から、収容凹部を設けて付属備品を収容することが多く、例えば、テレビの梱包装置において、テレビの上部後方に配置される発泡スチロールに長孔を設け、この長孔にリモートコントロール装置などの付属備品を収納するようにしたものが知られている（特許文献１）。
【特許文献１】特開平６−１７９４４０号公報
【発明の開示】
【発明が解決しようとする課題】
【０００４】
ところで、最近の液晶テレビなどの梱包においては、その嵩をできるだけ小さくするために、テレビ本体にスタンドを取付けないで梱包することが多く、そのような場合には、スタンド取付用のネジも一緒に梱包する必要がある。しかしながら、ネジのような小さい付属備品を、梱包用緩衝材に形成された収容凹部に収容して梱包すると、運搬等の途中で付属備品が収容凹部から飛び出し、付属備品を紛失する恐れがある。そのため、ネジなどの小さい付属備品は、別の備品袋に入れて取扱説明書などの袋に収納しているのが実情である。
【０００５】
本発明は上記事情の下になされたもので、その解決しようとする課題は、大きい付属備品と共に小さい付属備品を飛び出さないように収容できる収容効率の良い梱包用緩衝材を提供することにある。
【課題を解決するための手段】
【０００６】
上記課題を解決するため、本発明に係る梱包用緩衝材は、被梱包品と外箱との間に介在させる樹脂発泡体からなる緩衝材であって、被梱包品の付属備品を収容する第一収容凹部を緩衝材の適所に形成すると共に、この第一収容凹部の底に、上記付属備品よりも小さい付属備品を収容する上記第一収容凹部よりも小さい第二収容凹部を形成したことを特徴とするものである。
【０００７】
そして、より具体的には、上記緩衝材が、被梱包品の上部に嵌合させて外箱との間に介在させる上部樹脂発泡体と、被梱包品の下部に嵌合させて外箱との間に介在させる下部樹脂発泡体とからなり、上部樹脂発泡体の上面に上記第一収容凹部を形成し、その底に上記第二収容凹部を形成したものである。
【０００８】
本発明の梱包用緩衝材においては、上記第二収容凹部の底に、上記の小さい付属備品よりも更に小さい付属備品を収容する更に小さい第三収容凹部を形成してもよい。
【０００９】
第一収容凹部の底に第二収容凹部を形成した二段階構成の梱包用緩衝材の代表例は、被梱包品が液晶テレビであって、第一収容凹部をリモートコントロール装置用の電池を収容する凹部とし、第二収容凹部をスタンド取付用のネジを収容する凹部としたものである。また、第二収容凹部の底に第三収容凹部を更に形成した三段階構成の梱包用緩衝材の代表例は、被梱包品が液晶テレビであって、第一収容凹部をリモートコントロール装置を収容する凹部とし、第二収容凹部をリモートコントロール装置用の電池を収容する凹部とし、第三収容凹部をスタンド取付用のネジを収容する凹部としたものである。
【発明の効果】
【００１０】
本発明の梱包用緩衝材のように、被梱包品の付属備品を収容する第一収容凹部が緩衝材の適所に形成され、この第一収容凹部の底に、上記付属備品よりも小さい付属備品を収容する小さい第二収容凹部が形成されていると、第二収容凹部に収容された小さい付属備品が運搬等の途中で第二収容凹部から飛び出そうとしても、その上の第一収容凹部に収容された大きい付属備品によって、小さい付属備品の飛び出しが阻止されるため、小さい付属備品を紛失する恐れがなくなる。
【００１１】
また、梱包時には、小さい付属備品を第二収容凹部に収容してから大きい付属備品を第一収容凹部に収容することになるので、小さい付属備品の梱包忘れを防止することができ、しかも、従来のように小さい付属備品を別の備品袋に入れて取扱い説明書などの袋に収納する面倒な作業が不要になる。
【００１２】
更に、小さい付属備品を収容する第二収容凹部を、大きい付属備品を収容する第一収容凹部の横に形成する場合は、緩衝材の表面にこれらの収容凹部を形成するための広いスペースが必要になるが、本発明のように第一収容凹部の底に第二収容部を重ねて形成すると、収容凹部を形成するためのスペースを縮小することができる。特に、第一収容凹部の底に第二収容凹部を形成し、第二収容凹部の底に第三収容凹部を形成した三段階構成の梱包用緩衝材は、収容凹部を形成するためのスペースを一層縮小できる利点がある。
【発明を実施するための最良の形態】
【００１３】
以下、図面を参照して本発明の具体的な実施形態を詳述する。
【００１４】
図１は本発明の一実施形態に係る梱包用緩衝材の斜視図、図２は同梱包用緩衝材の背面図、図３は収容凹部に付属備品を収容した同梱包用緩衝材の上部樹脂発泡体の部分平面図、図４は図３のＡ−Ａ線拡大断面図、図５はスタンド収容凹部にスタンドを収容した同梱包用緩衝材の背面図、図６はスタンド収容凹部に他のスタンドを収容した同梱包用緩衝材の背面図、図７の（ａ）及び（ｂ）はスタンドの平面図及び側面図、図７の（ｃ）及び（ｄ）は他のスタンドの平面図及び側面図である。
【００１５】
この梱包用緩衝材は、図１，図２に示すように、発泡スチロール製の上部樹脂発泡体１と、同じく発泡スチロール製の下部樹脂発泡体２とから成るものであって、上部樹脂発泡体１は被梱包品たる液晶テレビ（本体）３の上部に嵌合されて外箱（不図示）との間に介在され、下部樹脂発泡体２は液晶テレビ３の下部に嵌合されて外箱との間に介在されるようになっている。
【００１６】
図１〜図３に示すように、上部樹脂発泡体１の上面には、液晶テレビ３の代表的な付属備品であるリモートコントロール装置４を収容する横長の収容凹部１ａが形成されており、また、上部樹脂発泡体１と下部樹脂発泡体２の背面には、液晶テレビ３の後述するスタンド５，６を収容する収容凹部７が分割して形成されている。
【００１７】
そして、上部樹脂発泡体１の上面の収容凹部１ａの横には、リモートコントロール装置４の電池８を収容する第一収容凹部１ｂが形成されており、更に、第一収容凹部１ｂの底の中央には、図１，図３，図４に示すように、上記の電池８よりも小さい付属備品であるスタンド取付用のネジ９を収容する上記第一収容凹部１ｂよりも小さい第二収容凹部１ｃが形成されている。また、この上部樹脂発泡体１の上面には、上記以外の種々の付属備品を収容する収容凹部１ｄ，１ｆが形成されている。
【００１８】
上記の第一収容凹部１ｂは、単三又は単四の電池８を縦向き又は横向きに並べて収容できるように太い十字形の平面形状を備えた収容凹部に形成されており、この第一収容凹部１ｂの底の中央部に形成された第二収容凹部１ｃは、スタンド取付用の所定本数のネジ９を並べて収容できるように、その底面にネジ９の片側が嵌め込まれる嵌合凹部１ｆが形成されている。なお、第二収容凹部１ｂの底面の嵌合凹部は省略しても差し支えない。
【００１９】
このように、電池８を収容する第一収容凹部１ｂの底に、電池８よりも小さいスタンド取付用のネジ９を収容する第二収容凹部１ｃが形成されていると、運搬等の途中でネジ９が第二収容凹部１ｃから飛び出そうとしても、その上の第一収容凹部１ｂに収容された電池８によってネジ９の飛び出しが阻止されるため、ネジ９を紛失する恐れはなくなる。また、梱包時には、ネジ９を第二収容凹部１ｃに収容してから電池８を第一収容凹部１ｂに収容することになるので、ネジ９の梱包忘れを防止することができ、しかも、従来のようにネジ９を別の備品袋に入れて取扱い説明書などの袋に収納する面倒な作業が不要になる。更に、第二収容凹部１ｃを第一収容凹部１ｂの底に重ねて形成すると、第二収容凹部１ｃを第一収容凹部１ｂの横に並べて上部樹脂発泡体１の上面に形成する場合に比べて、これらの収容凹部を形成するためのスペースを縮小できる利点もある。
【００２０】
この実施形態の梱包用緩衝材は、上記のように付属備品を収容する第一収容凹部の底に、該付属備品よりも小さい付属備品を収容する第二収容凹部を重ねて形成した二段階構成の収容凹部を備えたものであるが、更に、この第二収容凹部の底に、上記の小さい付属備品よりも一層小さい付属備品を収容する一層小さい第三収容凹部を重ねて形成した三段階構成の収容凹部を備えた梱包用緩衝材としても勿論よい。
【００２１】
このような三段階構成の収容凹部を備えた梱包用緩衝材と代表例としては、第一収容凹部をリモートコントロール装置を収容する凹部とし、第二収容凹部をリモートコントロール装置用の電池を収容する凹部とし、第三収容凹部をスタンド取付用のネジを収容する凹部としたものが挙げられる。このような三段階構成の収容凹部を備えた梱包用緩衝材は、収容凹部を形成するためのスペースを一層縮小できる利点がある。
【００２２】
一方、この梱包用緩衝材の上部樹脂発泡体１と下部樹脂発泡体２のそれぞれの背面に分割して形成された前記の収容凹部７は、図７に示す平面形状が異なる二種類のスタンド５，６のいずれをも、ガタツキなく収容できるようにしたものである。
【００２３】
即ち、一方のスタンド５は、図７の（ａ）に示すようにほぼ平行な両側面５ａ，５ａを備えたものであり、他方のスタンド６は、図７の（ｃ）に示すように前拡がり状に傾斜した両側面６ａ，６ａを備えたものであって、これらのスタンド５，６はいずれも、中央部に同一形状のネック部５ｂ，６ｂが形成されている。
【００２４】
これに対し、上部樹脂発泡体１と下部樹脂発泡体２の背面に分割して形成された収容凹部７，７は、その両側内面の後半部分が、一方のスタンド５のほぼ平行な両側面５ａ，５ａの後半部分を当止するほぼ平行な当止面７ａ，７ａに形成されると共に、両側内面の前半部分が、他方のスタンド６の前拡がり状に傾斜した両側面６ａ，６ａの前半部分を当止する前拡がり状の当止面７ｂ，７ｂに形成されており、下部樹脂発泡体２に分割形成された収容凹部７の底面には、スタンド５，６のネック部５ｂ，６ｂの一端部が嵌まり込む切欠部７ｃが形成されている。
【００２５】
従って、図５に示すように、上部樹脂発泡体１と下部樹脂発泡体２に分割形成された上記収容凹部７，７に一方のスタンド５を裏返しにして収容し、ネック部５ｂを切欠部７ｃに嵌め込むと、スタンド５の両側面５ａ，５ａの後半部分が収容凹部７，７の当止面７ａ，７ａで両側から当止されて両側方向（図５では上下方向）に位置決めされると共に、ネック部５ｂが切欠部７ｃで前後方向（図５では左右方向）に位置決めされるため、スタンド５はカタツキなく収容凹部７，７に収容されて梱包される。
【００２６】
そして、図６に示すように、上記収容凹部７，７に他方のスタンド６を裏返しにして収容し、ネック部６ｂを切欠部７ｃに嵌め込むと、スタンド６の両側面６ａ，６ａの前半部分が収容凹部７，７の当止面７ｂ，７ｂで両側から当止されて両側方向（図６では上下方向）に位置決めされると共に、ネック部６ｂが切欠部７ｃで前後方向（図６では左右方向）に位置決めされるため、スタンド６はスタンド５と同様にカタツキなく収容凹部７，７に収容されて梱包される。このように、どちらのスタンド５，６を梱包する場合でも、上記の梱包用緩衝材を共用できるので、梱包費用を節約することができる。
【００２７】
以上の実施形態では、第一収容凹部１ｂを上部樹脂発泡体１の上面に形成し、その底に第二収容凹部１ｃを形成しているが、第一収容凹部１ａの形成箇所は上部樹脂発泡体１の上面に限定されるものではなく、例えば、上部樹脂発泡体１の側面や、下部樹脂発泡体２の側面あるいは下面など、梱包用緩衝材の適所であればよい。また、上記実施形態では、被梱包品として液晶テレビを梱包する場合を説明したが、本発明の梱包用緩衝材は、液晶テレビ以外の種々の電機製品や他の製品の梱包に使用されることは言うまでもない。
【図面の簡単な説明】
【００２８】
【図１】本発明の一実施形態に係る梱包用緩衝材の斜視図である。
【図２】同梱包用緩衝材の背面図である。
【図３】収容凹部に付属備品を収容した同梱包用緩衝材の上部樹脂発泡体の部分平面図である。
【図４】図３のＡ−Ａ線拡大断面図である。
【図５】スタンド収容凹部にスタンドを収容した同梱包用緩衝材の背面図である。
【図６】スタンド収容凹部に他のスタンドを収容した同梱包用緩衝材の背面図である。
【図７】（ａ）及び（ｂ）はスタンドの一例を示す平面図及び側面図、（ｃ）及び（ｄ）はスタンドの他の例を示す平面図及び側面図である。
【符号の説明】
【００２９】
１    上部樹脂発泡体
１ａ  リモートコントロール装置の収容凹部
１ｂ  電池を収容する第一収容凹部
１ｃ  スタンド取付用のネジを収容する第二収容凹部
１ｄ，１ｅ  その他の付属備品を収容する収容凹部
２    下部樹脂発泡体
３    被梱包品（液晶テレビ）
４    リモートコントロール装置（付属備品）
５，６  スタンド
７    スタンドを収容する収容凹部
８    電池（付属備品）
９    スタンド取付用のネジ（小さい付属備品）
【図１】
2010149870.tif 000003
【図２】
2010149870.tif 000004
【図３】
2010149870.tif 000005
【図４】
2010149870.tif 000006
【図５】
2010149870.tif 000007
【図６】
2010149870.tif 000008
【図７】
2010149870.tif 000009